(57)【特許請求の範囲】
【請求項１】
パッシブ型の第１および第２の有機ＥＬパネルを有し、選択信号に応じていずれか一方の前記有機ＥＬパネルを選択的に駆動して所定の表示をする有機ＥＬ表示装置において、  前記第１の有機ＥＬパネルのカラムピンおよび前記第２の有機ＥＬパネルのカラムピンに対して共通に接続される出力ピンを有しこの出力ピンからこれに接続されている前記カラムピンに有機ＥＬ素子を駆動するための駆動電流をそれぞれ出力する多数の電流駆動回路と、
前記出力ピンに接続され、リセット期間において前記有機ＥＬ素子の端子電圧を前記出力ピンを介して所定の電圧にリセットするリセット回路と、
前記第１および第２の有機ＥＬパネルに対応して前記第１および第２の有機ＥＬパネルのロー方向あるいは垂直方向の走査対象となる走査線を走査する第１および第２の走査回路とを備え、
前記リセット期間に前記選択信号に応じて駆動すべき前記第１および第２の有機ＥＬパネルのいずれか一方に対する前記第１および第２の走査回路のいずれか一方を動作させるものであって、
表示切換信号に応じて強制的に前記リセット期間に入って残りのいずれか他方の走査回路の走査動作の停止あるいは動作そのものを停止させることで前記他方の有機ＥＬパネルの表示を停止させ、強制的な前記リセット期間が終了した時点で前記選択信号を発生させることで前記一方の有機ＥＬパネルを駆動して表示切換を行う有機ＥＬ表示装置。
【請求項２】
前記リセット期間は、水平１ラインの走査期間に相当する表示期間と水平走査の帰線期間に相当する垂直方向の走査切換期間とを切り分けるためのタイミングコントロール信号あるいはリセット信号を発生するためのリセットコントロール信号に応じて決定され、前記リセット回路は、前記リセット期間において前記タイミングコントロール信号に応じた信号、前記リセットコントロール信号および前記リセット信号のいずれかに応じてリセット動作をする請求項１記載の有機ＥＬ表示装置。
【請求項３】
各前記出力ピンは前記第１および第２の有機ＥＬパネルの各カラムピンにそれぞれ接続され、前記第１および第２の有機ＥＬパネルのいずれか一方に対する前記走査回路の走査動作の開始は、前記いずれか他方の前記走査回路の走査動作の停止時点以降あるいは動作そのものを停止させた以降である請求項２記載の有機ＥＬ表示装置。
【請求項４】
前記いずれか他方の走査回路の走査動作の停止あるいは動作そのものの停止は、前記リセット回路による前記有機ＥＬ素子の端子電圧のリセット後に行われ、前記他方の有機ＥＬパネルの前記走査線が接続されている前記他方の走査回路のすべての出力端子がハイインピーダンスに設定される請求項３記載の有機ＥＬ表示装置。
【請求項５】
この有機ＥＬ表示装置を備えたある装置の蓋の開閉に応じてＯＮ／ＯＦＦする作動スイッチを有し、前記第１および第２の有機ＥＬパネルの一方がメインディスプレイとされ、いずれか他方がサブディスプレイとされ、前記作動スイッチのＯＮ／ＯＦＦにより前記表示切換信号が発生するとともに前記作動スイッチのＯＮ／ＯＦＦに応じてＯＮ／ＯＦＦに応じた前記選択信号が発生する請求項４記載の有機ＥＬ表示装置。
【請求項６】
前記走査線は水平１ラインに対応するものであり、前記作動スイッチは、光学センサからの信号に応じてＯＮ／ＯＦＦするスイッチであり、前記光学センサが前記ある装置に設けられている請求項５記載の有機ＥＬ表示装置。
【請求項７】
各前記出力ピンは前記第１および第２の有機ＥＬパネルの各カラムピンにそれぞれ接続され、前記第１および第２の有機ＥＬパネルの各前記カラムピンに接続されるカラムラインと各前記カラムピンとの間にそれぞれ逆流防止の第１のダイオードが設けられている請求項１記載の有機ＥＬ表示装置。
【請求項８】
さらに、前記第１および第２の有機ＥＬパネルは、各前記第１のダイオードの陰極側を接続するロー方向の接続ラインをそれぞれ有し、各第１のダイオードの陰極側と前記接続ラインとの間に順方向にそれぞれ挿入された第２のダイオードを各前記第１のダイオードに対応して有し、前記第１および第２の有機ＥＬパネルの各前記接続ラインは、それぞれ第１の電位のラインあるいは第２の電位のラインに選択的に接続され、前記第１の電位は前記第２のダイオードを逆バイアスするものであり、前記第２の電位は前記第２のダイオードを順バイアスするものである請求項７記載の有機ＥＬ表示装置。
【請求項９】
前記第１および第２の有機ＥＬパネルの各前記接続ラインは、それぞれバッファアンプを介して前記第１の電位のラインあるいは前記第２の電位のラインに接続され、前記一方の有機ＥＬパネルの各前記第２のダイオードが前記一方の有機ＥＬパネルの前記第１の電位のラインに接続され、前記いずれかの他方の有機ＥＬパネルの各前記第２のダイオードが前記他方の有機ＥＬパネルの前記第２の電位のラインに接続され、前記他方の有機ＥＬパネルの前記走査線が接続されている前記他方の走査回路のすべての出力端子がハイインピーダンスに設定される請求項８記載の有機ＥＬ表示装置。
【請求項１０】
前記第２の電位のラインは、それぞれ各カラムピンに出力する駆動電流により発生する前記各カラムピンの電圧のうち最低電圧に対して前記第１のダイオードの順方向降下電圧と前記第２のダイオードの順方向降下電圧を加えた分を減算した電圧より低い電圧である請求項９記載の有機ＥＬ表示装置。
【請求項１１】
前記第１および第２の有機ＥＬパネルのいずれか一方に対する前記走査回路の走査動作の開始は、前記いずれか他方の前記走査回路の走査動作の停止時点以降あるいは動作そのものを停止させた以降である請求項９記載の有機ＥＬ表示装置。
【請求項１２】
前記いずれか他方の走査回路の走査動作の停止あるいは動作そのものの停止は、前記リセット回路による前記有機ＥＬ素子の端子電圧のリセット後に行われ、前記他方の有機ＥＬパネルの前記走査線が接続されている前記他方の走査回路のすべての出力端子がハイインピーダンスに設定される請求項１１記載の有機ＥＬ表示装置。
【発明の詳細な説明】
【技術分野】
【０００１】
この発明は、有機ＥＬ表示装置に関し、詳しくは、メインディスプレイとサブディスプレイとを有する有機ＥＬ表示装置において、一方のディスプレイから他方のディスプレイへの表示切換時の消費電力を低減し、小型薄型化に適した有機ＥＬ表示装置に関する。
【背景技術】
【０００２】
有機ＥＬ表示装置は、自発光による高輝度表示が可能であることから、小画面での表示に適し、携帯電話機、ＰＨＳ、ＤＶＤプレーヤ、ＰＤＡ（携帯端末装置）等に搭載される次世代表示装置として現在注目されている。
携帯電話機などでは、メインディスプレイとサブディスプレイとが背中合わせに配置される。サブディスプレイが装置の蓋の表側とされ、蓋を閉めた状態でサブディスプレイに必要な情報を表示し、蓋を開けた状態で蓋の裏面に設けられたメインディスプレイにメニュー等の操作情報を表示する切換表示が行われている。
この場合、メインディスプレイは、高解像度のカラーディスプレイであり、サブディスプレイは、メインディスプレイより画面サイズが小さい白黒のものが使用されている。特に、携帯電話機のサブディスプレイは、時刻の表示や受信があったときにコールのための映像などを表示する。
メインディスプレイとサブディスプレイのドライバは、それぞれに仕様が相違し、ディスプレイ基板にＯＮチップされることから通常それぞれが個別に設けられている。【０００３】
有機ＥＬパネルの電流駆動回路は、アクティブマトリックス型でもパッシブマトリックス型のものでも端子ピン（カラムピン）対応に電流源の駆動回路、例えば、カレントミラー回路による出力回路が設けられている。
アクティブマトリックス型では、表示セル（画素）対応にピクセル回路が設けられていて、各ピクセル回路は、コンデンサに記憶した電圧に応じてトランジスタを駆動し、このトランジスタを介して有機ＥＬ素子（以下ＯＥＬ素子）を電流駆動する。
一方、パッシブマトリックス型では、マトリックス状に配置されたＯＥＬ素子の陽極が直接電流源の駆動回路の出力ピンにカラムピンを介して接続され、各電流源の駆動回路によりそれぞれのＯＥＬ素子が駆動される。
なお、有機ＥＬパネルの駆動回路としては、カラムピン対応にＤ／Ａ変換回路（以下Ｄ／Ａ）を設けたこの出願人の特開２００３−２３４６５５号の出願が公知である（特許文献１）。これは、カラムピン対応のＤ／Ａが表示データと基準駆動電流とを受けて、基準駆動電流に従って表示データをＤ／Ａ変換してカラムピン対応に駆動電流あるいはこの駆動電流の基となる電流を生成する回路である。
特許文献１：特開２００３−２３４６５５号公報
【発明の開示】
【発明が解決しようとする課題】
【０００４】
メインディスプレイとサブディスプレイにはデータ線対応にあるいはカラムピン対応にそれぞれ電流源の駆動回路を有するドライバＩＣがそれぞれ設けられている。そのため、携帯電話機等の小型の電子機器にあっては、その分、メインディスプレイとサブディスプレイを搭載するエリアが大きくなって、それが、例えば、装置の蓋側ケースの薄型化の障害になっている。
また、メインディスプレイとサブディスプレイの一方を使用するときには、通常、他方のディスプレイの駆動電流源は、完全にＯＦＦされるのではなく、待機状態に設定されている。そのために、その分、電力消費が増加し、表示ディスプレイの切換時には一方の駆動回路の待機設定と他方の駆動回路の待機状態からの復帰とが行われ、これによる過渡電流が消費電力を増加させる要因となっている。
そこで、メインディスプレイとサブディスプレイとについてドライバＩＣを共用することが考えられるが、カラムピンに接続する出力ピン数を倍にしてドライバＩＣの内部で切換えることは、出力ピン数が増加する関係で非常に難しい。しかも、出力ピンに対応して切換スイッチを設けると、回路規模が非常に大きくなる問題がある。【０００５】
特に、出力電流値の大きいパッシブ型の有機ＥＬパネルをメインディスプレイとサブディスプレイとに用いた場合には、メインディスプレイとサブディスプレイのＯＥＬ素子が同じ出力ピンに容量性負荷としてそれぞれのカラムピンを介してパラレルに接続されるので、切換え前後の過渡現象により表示が停止される側のディスプレイのＯＥＬ素子が誤発光する問題がある。
この発明の目的は、このような従来技術の問題点を解決するものであって、一方のディスプレイから他方のディスプレイへの表示切換時のディスプレイの誤発光を防止し、表示切換時の消費電力を低減し、小型薄型化に適した有機ＥＬ表示装置を提供することにある。
【０００６】
ところで、メインディスプレイとサブディスプレイとがパッシブマトリックス型であって、これらを共通のドライバで駆動するとすると、表示駆動側（点灯側）のディスプレイのカラムラインは、ドライバの出力ピンを介して表示停止側（非点灯側）のディスプレイのカラムラインにも接続されている。
ＯＥＬ素子は容量性の素子であり、非点灯側のディスプレイのカラムラインには多くのＯＥＬ素子が接続されている。そこで、共通のドライバで駆動するとすると、非点灯側のＯＥＬ素子の寄生容量を介して点灯側のディスプレイのカラムラインが点灯側の他のカラムラインと接続されることになる。しかも、多数のＯＥＬ素子がカラムラインに接続されるパッシブマトリックス型有機ＥＬパネルでは、あるカラムラインからみた寄生容量が大きくなり、この寄生容量を介して駆動中の他のカラムラインからの駆動電流が特定のカラムラインに回り込む問題がある。
特に、高解像度になり、ＱＶＧＡのフルカラーではＲ，Ｇ，Ｂ各１２０ピンの３６０ピンとなり、現在ところ３ドライバは必要とされている。そのためカラムドライバＩＣ１個が接続されるＯＥＬ素子の数は、カラムピン数×ローピン数となって、メインディスプレイでは、１０，０００個か、それ以上になる。サブディスプレイ側では５，０００個以上のＯＥＬ素子が接続される。ＯＥＬ素子１個は数ｐＦであるが、このようにＯＥＬ素子が多くなると、その分、他のカラムラインからあるカラムラインへ回り込む駆動電流が多くなる。
この駆動電流の回り込みにより、点灯側のディスプレイのあるカラムラインが黒表示（駆動電流“０”）になったときに、非点灯側のディスプレイを介して回り込む駆動電流によって、本来の黒レベルの表示がグレイレベルに押し上げてしまう誤発光を起こす問題があることが分かった。
そこで、この発明の他の目的は、パッシブマトリックス型のメインディスプレイとサブディスプレイとを共通のドライバで駆動したときに、点灯側のディスプレイにおいて黒レベルの表示をするカラムラインの表示輝度をグレイレベルにしてしまう誤発光を防止することができる有機ＥＬ表示装置を提供することにある。
【課題を解決するための手段】
【０００７】
このような目的を達成するための第１の発明の有機ＥＬ表示装置の構成は、第１および第２の有機ＥＬパネルを有し、選択信号に応じていずれか一方の有機ＥＬパネルを選択的に駆動して所定の表示をする有機ＥＬ表示装置において、
パッシブ型の第１の有機ＥＬパネルのカラムピンおよび第２の有機ＥＬパネルのカラムピンに対して共通に接続される出力ピンを有しこの出力ピンからこれに接続されているカラムピンにＯＥＬ素子を駆動するための駆動電流をそれぞれ出力する多数の電流駆動回路と、出力ピンに接続され、リセット期間においてＯＥＬ素子の端子電圧を出力ピンを介して所定の電圧にリセットするリセット回路と、第１および第２の有機ＥＬパネルに対応して第１および第２の有機ＥＬパネルのロー方向あるいは垂直方向の走査対象となる走査線を走査する第１および第２の走査回路とを備えていて、
リセット期間に選択信号を発生して駆動すべき第１および第２の有機ＥＬパネルのいずれか一方に対する第１および第２の走査回路のいずれか一方を動作させるものであって、  表示切換信号に応じて強制的にリセット期間に入って残りのいずれか他方の走査回路の走査動作の停止あるいは動作そのものを停止させることで他方の有機ＥＬパネルの表示を停止させ、強制的な前記リセット期間が終了した時点で選択信号を発生させることで一方の有機ＥＬパネルを駆動して表示切換を行うものである。
また、第２の発明の有機ＥＬ表示装置の構成は、第１および第２の有機ＥＬパネルがパッシブマトリックス型のものであり、第１および第２の有機ＥＬパネルの各カラムラインとこれらが接続される有機ＥＬパネルの各端子ピンとの間にそれぞれ逆流防止の第１のダイオードが設けられているものであって、
前記第１および第２の有機ＥＬパネルのうち表示状態にある有機ＥＬパネルの表示を停止させるときには強制的にリセット期間に入りいずれか他方の前記走査回路の走査動作を停止させ、強制的な前記リセット期間の後のリセット期間から表示状態に入るようにいずれか一方の前記走査回路を動作させて表示の切換をするものである。
【発明の効果】
【０００８】
前記構成のように、第１の発明にあっては、第１の有機ＥＬパネルと第２の有機ＥＬパネルとに対してドライバの出力ピンを共用する電流駆動回路を設けているので、第１の有機ＥＬパネルと第２の有機ＥＬパネルとに対応してそれぞれに電流駆動回路を設ける必要はない。そのため、選択されていない側の電流駆動回路を待機状態にする必要がなく、その分、消費電力の低減を図ることができる。
しかも、ロー方向あるいは垂直方向の走査線を走査する走査回路の選択により表示切換えを行うので、出力ピンに対応して切換スイッチを設けることが不要になり、回路規模の増加が抑えられる。さらに、表示切換をリセットコントロールパルスに応じて、現在表示中の一方の有機ＥＬパネルのリセット期間において他方の有機ＥＬパネルへ表示切換が行われるので表示を停止する側（非点灯側）の有機ＥＬパネルの誤発光が防止される。  さらに、表示が停止される側の走査回路のロー側走査線（垂直方向の走査の水平１ライン）が接続されている出力端子をすべてハイ−インピーダンス（Ｈi−Ｚ）とすることで現在表示中の有機ＥＬパネルの駆動を終了するようにすれば、点灯側有機ＥＬパネルに対して並列負荷となる非点灯側有機ＥＬパネルの負荷容量の増加を抑えることができ、結果として消費電力の増加が抑えられる。
また、第２の発明にあっては、有機ＥＬパネルの各カラムラインと各端子ピンとの間にそれぞれ逆流防止の第１のダイオードを設けているので、非点灯側の有機ＥＬパネルのそれぞれのカラムラインには直列に第１のダイオードによる寄生容量が入る。そこで、点灯側の有機ＥＬパネルの他のカラムラインからあるカラムピンへ介して回り込む駆動電流は、前記第１のダイオードによる寄生容量を経て回り込むことになる。このとき、第１のダイオードの寄生容量が数ｐＦと非常に小さいので、駆動電流の回り込み量を小さく抑えることができる。しかも、第１のダイオードにより駆動電流の逆流も防止される。  これにより、点灯側のディスプレイにおいて黒レベルの表示をするカラムラインがグレイレベルに押し上げられることがほとんどなくなり、押し上げられてもそのレベルは小さいので、目で確認できる程度での黒レベルの誤発光を防止することができる。
その結果、少なくともメインディスプレイとサブディスプレイとの表示切換時の誤発光が防止され、表示切換時の消費電力を低減でき、小型薄型化に適した有機ＥＬ表示装置を実現できる。
【発明を実施するための最良の形態】
【０００９】
図１は、２枚のパッシブマトリックス型の有機ＥＬパネルに対して電流駆動回路を共用した場合のこの発明の有機ＥＬ表示装置の一実施例のブロック図、図２は、表示切換時のタイミングチャート、図３は、そのロー側走査回路における表示切換時の表示が停止される有機ＥＬパネルの説明図、図４は、点灯側のディスプレイにおいて黒レベルの表示をするカラムラインの表示輝度がグレイレベルにされる誤発光を防止する実施例の説明図、そして図５は、図４の実施例における非点灯側カラムラインの負荷インピーダンスの説明図である。
図１において、１は、有機ＥＬの表示装置であって、パッシブマトリックス型の有機ＥＬパネル２，３を有している。
４は、これら有機ＥＬパネル２，３とに共通に設けられたドライバＩＣ（以下ドライバ）であり、カラム側の出力段電流源４０ａ，…４０i，…４０ｎと、ロー側の走査回路４１、４２、インバータ４３、そしてリセット回路４４とを有している。
リセット回路４４は、各出力ピン出力ピン５ａ，…５i，…５ｎにそれぞれが接続されたアナログスイッチ（トランスミッションゲート）４４a，…４４i，…４４nと定電圧ダイオードＤzとからなる。【００１０】
ドライバ４は、コントロール回路１２から入力端子４ａを介して表示ディスプレイ選択信号（以下選択信号ＳＥＬ）“Ｈ”（ＨＩＧＨレベル）あるいは“Ｌ”（ＬＯＷレベル）を受けて、有機ＥＬパネル２、有機ＥＬパネル３のいずれかを駆動をする。これにより有機ＥＬパネル２と有機ＥＬパネル３のいずれか一方を表示状態とし、他方を非表示にする。
コントロール回路１２は、例えば、表示切換スイッチ１１がＯＮにされたときに選択信号ＳＥＬ“Ｈ”を発生する。表示切換スイッチ１１がＯＦＦしているときあるいはＯＦＦにされたときにはこれに応じて選択信号ＳＥＬを“Ｌ”（ＬＯＷレベル）に設定して出力する。
なお、この表示切換スイッチ１１は、例えば、この表示装置１を内蔵した携帯電話等において、装置の蓋が閉められたときに装置の蓋により押されて作動し、ＯＮになるスイッチである。
コントロール回路１２は、ワンショット回路１２ａ、オア回路１２ｂ、タイミング信号発生回路１２ｃ、そして選択信号発生回路１２ｄとを有していて、表示切換スイッチ１１のＯＮ／ＯＦＦに応じて、装置の蓋が閉じられたときに選択信号ＳＥＬ“Ｈ”を発生し、装置の蓋が開かれたときに選択信号ＳＥＬ“Ｌ”を発生する。【００１１】
有機ＥＬパネル２は、メインディスプレイとしてこの表示装置１を内蔵した携帯電話等の装置の蓋の裏面側に設けられ、有機ＥＬパネル３は、サブディスプレイとして装置の蓋の表側に設けられている。これら２枚の有機ＥＬパネルは背中合わせに装置の蓋側のケースに内蔵され、ドライバ４は、背中合わせの状態でそれぞれの有機ＥＬパネル２，３のそれぞれのカラム線（カラムピン）に出力ピンが共通に接続される。
なお、２枚の有機ＥＬパネルを背中合わせにした場合には、有機ＥＬパネル２と有機ＥＬパネル３とは、それぞれが駆動されるときに一方が他方に対して水平走査方向が逆になる。そのため、水平走査方向１ライン分の表示データは、一方に対して他方が逆方向からセットされる必要がある。このような場合には双方向シフトレジスタ等が用いられるが、これについては発明に直接関係ないのでここでは割愛する。
有機ＥＬパネル２（メインディスプレイ）と有機ＥＬパネル３（サブディスプレイ）とは、通常、表示画素数が相違していて、有機ＥＬパネル２は、例えば、カラムライン数×ローライン数として、１６０×１２８画素であり、有機ＥＬパネル３は、例えば、９６×９６画素である。
以下では、メインディスプレイの有機ＥＬパネル２の出力ピンとサブディスプレイの有機ＥＬパネル３の出力ピンとが共通になっている９６ピン部分について説明する。  なお、出力ピンが共通にならないメインディスプレイの有機ＥＬパネル２の出力ピン９７〜１６０は、表示切換によって表示が停止する（非点灯とする）ときに、これら出力ピンに対応するＤ／Ａ変換回路（Ｄ／Ａ）４６（図１参照）に設定する表示データを“０”とすれば、それらの出力ピンには出力電流が発生しないので、問題は生じない。そこで、図では出力ピン９７〜１６０の接続については割愛してある。【００１２】
水平方向１ラインに相当する有機ＥＬパネル２の各カラムラインＸa，…Ｘi，…Ｘnと有機ＥＬパネル３の各カラムラインＸa，…Ｘi，…Ｘnは、それぞれのカラムピンを介して出力段電流源４０（各出力段電流源４０ａ，…４０i，…４０ｎの代表として）のそれぞれの出力ピン５（出力ピン５ａ，…５i，…５ｎを代表して）に接続されている。
ロー側の走査回路４１，４２は、シフトレジスタとＣＭＯＳ出力回路６（図３参照）等で構成されている。なお、図３では、ＣＭＯＳ出力回路６をスイッチ回路として表している。電源ライン＋ＶccとＯＥＬ素子７の陰極接続ラインＹ（Ｙ1，Ｙ2，Ｙ3，…Ｙi…）との間に接続されているスイッチ回路がＰチャネルＭＯＳトランジスタで構成されるスイッチ回路であり、陰極接続ラインＹ（Ｙ1，Ｙ2，Ｙ3，…Ｙi…）とグランドＧＮＤとの間に接続されているスイッチ回路がＮチャネルＭＯＳトランジスタで構成されるスイッチ回路である。
【００１３】
図１に示すように、出力段電流源４０は、カレントミラー回路４５とＤ／Ａ４６とからなる。カレントミラー回路４５は、ＰチャネルＭＯＳトランジスタＱP1，ＱP2とからなり、入力側トランジスタＱP1と出力側トランジスタＱP2のチャネル幅（ゲート幅）比が１：１０になっている。
トランジスタＱP1，ＱP2のソース側が＋１５Ｖ程度の電源ライン＋Ｖccに接続されている。入力側トランジスタＱP1のドレインは共通のゲートに接続されるとともにＤ／Ａ４６の出力に接続されている。
Ｄ／Ａ４６は、カレントミラー回路で構成され、基準駆動電流をカレントミラー回路の入力側トランジスタに受けて入力された表示データに応じた変換アナログ電流を出力側トランジスタに発生する。
各アナログスイッチ４４X（アナログスイッチ４４a，…４４i，…４４nの代表として）は、入力端子４ｂを介してコントロール回路１２からリセット信号ＲＳを受けてリセット期間ＲＴの間ＯＮになる。図２（ｃ），（ｇ）に示すように、リセット信号ＲＳは、リセット期間ＲＴの間、“Ｈ”になる信号であり、通常は、リセットコントロール信号（あるいはタイミングコントロール信号）に応じて発生する。これにより、各出力ピン５は、リセット期間に定電圧ダイオードＤzの電圧ＶRに設定され、定電圧リセット（プリセット）される。【００１４】
ここで、ロー側の走査回路４１，４２は、それぞれ“Ｈ”のエネーブル信号とリセットコントロール信号ＲＳcとを受けて走査動作をする。リセットコントロール信号ＲＳcは、入力端子４ｃを介してコントロール回路１２のタイミング信号発生回路１２ｃから供給される。
ロー側の走査回路４１は、入力端子４ａ，インバータ４３を介して選択信号ＳＥＬをエネーブル信号として受ける。ロー側の走査回路４２は、直接選択信号ＳＥＬをエネーブル信号として直接受ける。
なお、ロー側の走査回路４１，４２の走査動作は、リセットコントロール信号ＲＳcを受けてリセット期間ＲＴから走査動作を開始する。
そこで、ロー側の走査回路４１は、表示切換スイッチ１１がＯＮからＯＦＦにされたときには、選択信号ＳＥＬ“Ｌ”をインバータ４３を介して“Ｈ”のエネーブル信号として受けて有機ＥＬパネル２に対する垂直方向（ロー側）の走査動作をリセットコントロール信号ＲＳcのリセット期間ＲＴから開始する。一方、有機ＥＬパネル３のロー側の走査回路４２は、表示切換スイッチ１１がＯＦＦにされたときには、選択信号ＳＥＬ“Ｌ”を直接受けるので垂直方向の走査動作が停止する。
一方、ロー側の走査回路４１，４２は、“Ｌ”のエネーブル信号を受けたときには、図３に示すように、すべてのＣＭＯＳ出力回路６のＰチャネルとＮチャネルのＭＯＳトランジスタで構成される２つのスイッチ回路をともにＯＦＦにしてハイ−インピーダンス（Ｈｉ−Ｚ）の出力に設定する。【００１５】
逆に、有機ＥＬパネル２のロー側の走査回路４１は、表示切換スイッチ１１がＯＦＦからＯＮにされたときには、選択信号ＳＥＬ“Ｈ”をインバータ４３を介して“Ｌ”のエネーブル信号として受けるので垂直方向の走査動作が停止する。一方、有機ＥＬパネル３のロー側の走査回路４２は、表示切換スイッチ１１がＯＮにされたときには、選択信号ＳＥＬ“Ｈ”を直接エネーブル信号として受けるので垂直方向の走査動作をリセットコントロール信号ＲＳcのリセット期間ＲＴから開始する。
このように、この表示装置１を内蔵した携帯電話等の装置は、その蓋が閉められたときには選択信号ＳＥＬが“Ｈ”となって、有機ＥＬパネル３のロー走査回路４２が動作し、装置の蓋が開けられたときには選択信号ＳＥＬが“Ｌ”となって、有機ＥＬパネル２のロー走査回路４１が動作する。
さらに、ここでは、装置の蓋の開閉に応じて、表示が停止される側の有機ＥＬパネルは、入力端子４ｂから入力されるリセット信号ＲＳにより強制的にリセット期間に入り、その後、選択信号ＳＥＬが発生して、その“Ｈ”と“Ｌ”に応じて表示切換えが行われる。【００１６】
以上の選択信号ＳＥＬによる表示切換は、表示切換スイッチ１１のＯＮ／ＯＦＦに応じて発生するリセット信号ＲＳのタイミングに従って行われる。
ここでは、リセット信号ＲＳは、リセットコントロール信号ＲＳcのタイミングに合わせて発生するほかに、表示切換スイッチ１１のＯＮ／ＯＦＦに応じて発生する。
図１に示すように、コントロール回路１２は、表示切換スイッチ１１のＯＮ／ＯＦＦ信号をワンショット回路１２ａで受ける。そしてオア回路１２ｂがリセットコントロール信号ＲＳcとワンショット回路１２ａの出力とを受けてリセット信号ＲＳを発生する。リセットコントロール信号ＲＳcは、タイミング信号発生回路１２ｃで発生する。
なお、ワンショット回路１２ａは、表示切換スイッチ１１のＯＮ／ＯＦＦ信号の立上がりおよび立下がりの双方向でトリガーされて、表示切換スイッチ１１がＯＮからＯＦＦあるいは逆にＯＦＦからＯＮになったときに、一定期間、“Ｈ”のワンショットパルスＰを発生する。この“Ｈ”の期間は、通常のリセット期間ＲＴか、それよりも長く設定されている。
ワンショット回路１２ａの出力は、リセット信号ＲＳとして出力されるとともに、選択信号発生回路１２ｄに送出される。
選択信号発生回路１２ｄは、フリップフロップ等で構成されるラッチ回路であり、ワンショット回路１２ａの出力の立下がり信号に応じて表示切換スイッチ１１のＯＮ／ＯＦＦ信号を“Ｈ”あるいは“１”、“Ｌ”あるいは“０”の信号としてラッチして選択信号ＳＥＬを発生する。これにより、表示を停止する非表示側の有機ＥＬパネルがリセットされた時点か、その後に表示切換が行われることになる。
【００１７】
図２は、その表示切換時のタイミングチャートである。
図２（ａ）は、表示切換スイッチ１１のＯＮ／ＯＦＦ信号（表示切換信号）、（ｂ）は、表示開始パルスＤＳＴＰ、（ｃ）はリセットコントロール信号ＲＳc、（ｄ）は、ピーク発生パルスＰpである。そして、（ｅ）が端子ピン駆動電流であって、実線が駆動電流、点線が駆動電圧である。
図２（ａ）では、まず、表示切換スイッチ１１がＯＦＦとなっていて、装置の蓋が開けられ、メインディスプレイの有機ＥＬパネル２が表示状態になっている。
通常の表示状態では、リセットコントロール信号ＲＳcに応じてオア回路１２ｂを経てリセット信号ＲＳが発生して、表示が選択されている有機ＥＬパネルは、表示開始パルスＤＳＴＰの立上がりに応じてリセット期間ＲＴが終了する。この時点でリセット信号ＲＳが立下がり、表示期間Ｄに入る。そして、ピーク発生パルスＰpが発生して、表示期間Ｄの開始から一定期間、カウンタでカウントしてカウント終了時点でリセット信号ＲＳが再び立上がってリセット期間ＲＴに入る。その結果、図２（ｅ）のようなピク駆動電流が発生する。
しかし、装置の蓋が閉められて、図２（ａ）に示すように、表示切換スイッチ１１がＯＦＦからＯＮとなると、表示駆動がメインディスプレイからサブディスプレイの有機ＥＬパネル３に切換えられる。図２（ａ）に示すような表示期間Ｄにおいて表示切換スイッチ１１のＯＮ／ＯＦＦ信号（表示切換信号）を受けると、（ｆ）に示すようにワンショット回路１２ａからワンショットパルスＰが発生して、それがリセット信号ＲＳとなり、（ｇ）に示すようなリセット信号ＲＳが発生する。これにり駆動され、表示状態の有機ＥＬパネルが強制的にリセット期間ＲＴに入る。
その結果、各アナログスイッチ４４XがＯＮとなって、各出力ピン５はリセット電圧ＶRに設定される。なお、このときは表示期間Ｄであるので、各ＯＥＬ素子７の陰極側はグランドＧＮＤに接続されているので、各アナログスイッチ４４XをＯＮすることで各ＯＥＬ素子７の端子電圧のリセットがなされる。
【００１８】
このワンショットパルスＰに対応するリセット期間ＲＴが終了した時点で、図２（ｈ）に示すように、選択信号発生回路１２ｄから選択信号ＳＥＬが発生する。図２（ａ）に示すように、表示切換スイッチ１１は、表示期間Ｄにおいて、ＯＦＦからＯＮになったので、このＯＮからワンショットパルスＰの期間だけ遅れて、これのリセット期間終了時点で選択信号ＳＥＬは、“Ｌ”から“Ｈ”になる。
さらに、選択信号ＳＥＬは、“Ｌ”から“Ｈ”になったことにより、非表示となる有機ＥＬパネル２に対応する走査回路４１は、イネーブル信号として選択信号ＳＥＬ“Ｌ”を受けて、図３に示すロー側の走査回路の陰極接続ラインＹ（Ｙ1，Ｙ2，…Ｙi…）におけるすべてのＣＭＯＳ出力回路６のＰチャネルとＮチャネルのＭＯＳトランジスタで構成される２つのスイッチ回路をともにＯＦＦにしてすべてのＣＭＯＳ出力回路６の出力端子をハイ−インピーダンス（Ｈｉ−Ｚ）の出力に設定する。
以上は、表示期間Ｄに表示切換スイッチ１１がＯＦＦからＯＮになった場合であるが、逆にＯＮからＯＦＦになった場合には、選択信号ＳＥＬは、“Ｈ”から“Ｌ”になり、有機ＥＬパネル２と有機ＥＬパネル３との関係が逆に置き換わる。また、ワンショットパルスＰの期間がリセット期間ＲＴと重なったとき、あるいはリセット期間ＲＴに表示切換スイッチ１１のＯＮ／ＯＦＦの切換が発生したときには、リセットコントロール信号ＲＳcのリセット期間とワンショットパルスＰの期間が重なるので、リセット期間がそのままか、ワンショットパルスＰの期間が重なった分だけリセット期間が長くなるだけであって、切換表示の動作は前記した通りである。
【００１９】
そこで、表示切換スイッチ１１がＯＦＦになったときにはワンショットパルスＰによるリセット期間終了後（終了時点でも可）に選択信号ＳＥＬ“Ｌ”が発生し、表示切換スイッチ１１がＯＮになったときにはワンショットパルスＰによるリセット期間終了後選択信号ＳＥＬ“Ｈ”が発生する。こうして発生した選択信号ＳＥＬがロー走査回路４１，４２にそれぞれ送出されて、これら回路が選択的に走査動作をする。
これにより、表示が停止される側のディスプレイが表示期間にあるときに、表示切換スイッチ１１のＯＮ／ＯＦＦ信号（表示切換信号）を受けたときには、表示切換スイッチ１１のＯＮ／ＯＦＦ信号（表示切換信号）の発生に応じてワンショットパルスＰによるリセット信号ＲＳが発生してリセットされた後に一方のディスプレイから他方のディスプレイに表示の切換が行われる。そして、表示切換により表示が開始される他方のディスプレイは、図２（ｉ）に示すように、次のリセット期間ＲＴからスタートしてこれの後表示開始パルスＤＳＴＰを受けて表示が開始される。
また、リセットコントロール信号ＲＳcのリセット期間ＲＴに対応して表示切換スイッチ１１のＯＮ／ＯＦＦ信号が発生したときには、表示切換により表示が開始される側のディスプレイは、このリセット期間ＲＴの後表示開始パルスＤＳＴＰを阻止することで、図２（ｉ）に示す次のリセット期間ＲＴのその次のリセット期間ＲＴからスタートして表示を開始する。
なお、リセットコントロール信号ＲＳcのリセット期間とワンショットパルスＰの期間の重なりは、リセットコントロール信号ＲＳcのリセット期間ＲＴにおいて選択信号ＳＥＬが変化したとき、すなわち、リセット期間ＲＴに選択信号ＳＥＬの立上がりあるいは立下がりがあるか否かで検出することができる。
【００２０】
このようにして、この表示装置１を内蔵した携帯電話等の装置は、その蓋が閉められたときには強制的にリセット期間ＲＴに入って有機ＥＬパネル２のロー走査回路４１の走査動作を停止して、リセット期間ＲＴから有機ＥＬパネル３のロー走査回路４２を走査動作を開始し、逆に、装置の蓋が開けられたときには強制的にリセット期間ＲＴに入って有機ＥＬパネル３のロー走査回路４２の走査動作を停止して、リセット期間ＲＴから有機ＥＬパネル２のロー走査回路４１を走査動作を開始することができる。
さらに、表示が停止されたディスプレイは、リセットされた後にすべての陰極接続ラインＹがＨｉ−Ｚとなるので、通常は誤発光は発生しない。【００２１】
ところで、携帯電話機などでは、電話番号等の表示を強調するために、画面の中央部分だけに表示範囲を限定して周囲を黒枠背景あるいは一色表示とすることが行われる。また、黒ラインと白ラインとが交互に発生するゼブラカラーの表示などもある。しかし、前記したように、カラムドライバ１個に対して接続されるＯＥＬ素子が５，０００個か、それ以上になると、非点灯側のディスプレイのカラムラインに接続されたＯＥＬ素子による寄生容量を介して、あるカラムラインへ他のカラムラインから駆動電流が回り込み、その電流量も大きくなる。それが点灯側のディスプレイにおいて黒レベルの表示をするカラムラインの表示輝度をグレイレベルにまで押し上げてしまう。【００２２】
図４は、このような誤発光を防止する実施例の説明図である。
図４においては、非点灯側の有機ＥＬパネル３の各ＯＥＬ素子７をコンデンサＣpとして示す。コンデンサＣpはＯＥＬ素子７の寄生容量である。
各有機ＥＬパネル２，３を共通ドライバ４で駆動する場合には、例えば、点灯側のディスプレイ２とすると、これのカラムラインＸiに対して非点灯側のディスプレイ３のＯＥＬ素子７の寄生容量Ｃpがパラレルに多数接続されることになる。
そこで、図示するように、各有機ＥＬパネル２，３の各カラムラインＸa，…Ｘi，…Ｘnとこれらカラムピンが接続される各有機ＥＬパネル２，３の端子ピンとの間にそれぞれダイオードＤa，Ｄb，Ｄc，…Ｄnを駆動電流に対して順方向で挿入する。
さらに、各ダイオードＤa〜Ｄnの陰極同士を接続する接続ラインをローラインＹoとして設け、このローラインＹoと各ダイオードＤa〜Ｄnの陰極側との間に順方向にそれぞれ各ダイオードＤsa，Ｄsb，Ｄsc，…Ｄsnを設けて、これらダイオードを介してローラインＹoと各ダイオードＤa〜Ｄnの陰極とを接続する。そして、ロー側の走査回路４１，４２には、ＣＭＯＳ出力回路６ａとバッファアンプ（ボルテージフォロア）６ｂとをそれぞれ設け、バッファアンプ６ｂの出力を各有機ＥＬパネル２，３のそれぞれのローラインＹoに接続する。バッファアンプ６ｂの入力は、ＣＭＯＳ出力回路６ａの出力に接続され、ＣＭＯＳ出力回路６ａの出力電圧を受ける。
ＣＭＯＳ出力回路６ａは、電源ライン＋Ｖccに接続されたスイッチＳＷ1（ＰチャネルＭＯＳトランジスタ）と電圧Ｖsの定電圧源６ｃに接続されたスイッチＳＷ2（ＮチャネルＭＯＳトランジスタ）とを有している。【００２３】
ここで、各カラムラインに挿入された各ダイオードＤa，Ｄb，Ｄc，…Ｄnは、回り込み駆動電流の回り込みを阻止するとともに回り込みパスにおける寄生容量を低下させる回り込み防止回路になっている。さらに、追加した各ダイオードＤsa，Ｄsb，Ｄsc，…Ｄsnと、ローラインＹo、ＣＭＯＳ出力回路６ａ、そしてバッファアンプ６ｂとは、それぞれ各カラムラインＸa，…Ｘi，…Ｘnの回り込み駆動電流の逆流を阻止する放電回路を形成している。
なお、各ダイオードＤa〜Ｄnと各ダイオードＤsa〜Ｄsnは、ＯＥＬ素子の形成過程で発光材料を充填しない状態で直接ＰＮ接合を形成したダイオード素子である。これらは、輝度表示に使用されるＯＥＬ素子とともに形成される。したがって、これらダイオードは、駆動電流が流れても点灯しない。これらダイオードは、ダイオード接続トランジスタ、あるいは順方向降下電圧が低い、ショットキーダイオード等が使用されてもよい。
点灯側のディスプレイである有機ＥＬパネル２は、選択信号発生回路１２ｄから選択信号ＳＥＬ“Ｌ”（蓋が開いた状態）をインバータ４３を介して“Ｈ”として受け、ＣＭＯＳ出力回路６ａは、それを内部のインバータ（図示せず）で反転して“Ｌ”にしてスイッチＳＷ1をＯＮし、スイッチＳＷ2をＯＦＦする。
これにより、ローラインＹoは、電源ライン＋Ｖccにプルアップされて“Ｈ”に設定される。その結果、点灯側のディスプレイの有機ＥＬパネル２の各ダイオードＤsa〜Ｄsnは、逆バイアスされてＯＦＦとなる。これにより、逆流を阻止する放電回路が各カラムラインから切り離され、各ダイオードＤa〜Ｄnは、有機ＥＬパネル２に対するロー側の水平１ラインの走査に応じてＯＮとなり、点灯側の表示動作には無関係となる。
一方、非点灯側のディスプレイである有機ＥＬパネル３は、コントロール回路１２から選択信号ＳＥＬ“Ｌ”を受け、ＣＭＯＳ出力回路６ａは、それを内部のインバータ（図示せず）で反転して“Ｈ”にしてスイッチＳＷ1をＯＦＦし、スイッチＳＷ2をＯＮにする。そこで、ローラインＹoがバッファアンプ６ｂを介して定電圧源６ｃの電圧Ｖsに設定される。この電圧Ｖsは、各ダイオードＤa〜Ｄnと各ダイオードＤsa〜ＤsnがＯＮするように各カラムピンに出力する駆動電流により発生する各カラムピンの電圧のうち最低電圧に対して１．４Ｖ（＝０．７Ｖ×２，０．７Ｖはダイオードの順方向降下電圧）以上低い電圧であり、かつ、このとき流れる電流が微少な電流になるような電圧に選択されている。なお、必要に応じて電圧Ｖsの電源に直列に高い抵抗値の抵抗を挿入するとよい。【００２４】
その結果、非灯側のディスプレイの有機ＥＬパネル３の各ダイオードＤa〜Ｄnと各ダイオードＤsa〜Ｄsnは、順方向にバイアスされてＯＮとなる。このとき、各ＣＭＯＳ出力回路６は、選択信号ＳＥＬ“Ｌ”を受けて出力端子に接続された各スイッチ回路をＯＦＦして前記したようにハイ−インピーダンス（Ｈｉ−Ｚ）に設定する。その結果、走査回路４２のローラインＹoを除く、非点灯側の陰極接続ラインＹ（Ｙ1，Ｙ2，…Ｙi…）は、すべてＨｉ−Ｚになる。
この実施例では、ドライバＩＣ４が各ディスプレイに共通のドライバとなっているので、点灯側のディスプレイである有機ＥＬパネル２の駆動電流が非点灯側のディスプレイである有機ＥＬパネル３のカラムラインに加えられることになる。しかし、その電流は、各ダイオードＤa〜Ｄnと、各ダイオードＤsa〜Ｄsn、定電圧源６ｃとを介してグランドＧＮＤへと流れ、他のカラムラインに戻ることはない。また、それは、微少なものである。  その結果、点灯側の有機ＥＬパネル２において黒レベルに設定され、駆動電流が出力されないカラムラインは、駆動電流が出力されている他のカラムラインから駆動電流の一部が回り込むことがなくなる。【００２５】
ここで、非点灯側のカラムラインＸiについて考えてみると、図５に示すように、ダイオードＤiの寄生容量ＣiがダイオードＤsiの寄生容量ＣsiとＯＥＬ素子７の寄生容量Ｃp×ｎの並列回路に直列に接続されている。なお、ｎは、カラムラインＸiに接続されるＯＥＬ素子７の個数である。
各ダイオードＤa〜Ｄnの寄生容量Ｃiは、数ｐＦのオーダであり、各カラムラインに直列接続となっている。そこで、カラムラインＸiに接続されるＯＥＬ素子７の個数がｎ個あっても、総合容量は、数ｐＦ以下のオーダに抑えられる。
そこで、駆動電流が回り込んで点灯側のカラムライン、例えば、カラムラインＸiに他のカラムラインの駆動電流が戻る場合には、図５のカラムラインＸiのダイオードＤiの寄生容量Ｃiが直列に入った回路に対してこれのＯＥＬ素子を介して結合された他のカラムラインのダイオードＤiの寄生容量Ｃiがさらに直列に入るコンデンサの直列回路となる。その結果、戻りの駆動電流は、カラムラインに直列に挿入されたダイオードＤiの寄生容量Ｃiにより阻止されてほとんど生じない。
その上、ここでは、点灯側のカラムラインの駆動電流の一部は、定電圧源６ｃを経てグランドＧＮＤへとシンクされる。このときの電流量は、定電圧源６ｃの電圧により決定され、微少な電流が流れるので、点灯側の駆動電流に対する影響はほとんど生じない。なお、定電圧源６ｃに直列にさらに高抵抗の回路を挿入してもよい。【００２６】
なお、この実施例の各ダイオードＤsa〜Ｄsnと、ローラインＹo、ＣＭＯＳ出力回路６ａ、そしてバッファアンプ６ｂとからなる逆流阻止の放電回路は、必ずしも設ける必要はない。ダイオードＤa〜Ｄnだけでも駆動電流の回り込みが減少し、黒レベルがグレイに押し上げられてもそのレベルはかなり小さくなるので、目で確認できる程度の誤発光を防止することができるからである。そこで、必要に応じて、逆流阻止の放電回路を追加すればよい。【００２７】
ところで、タイミングコントロール信号を水平１ラインの走査期間に相当する表示期間と帰線期間に相当するリセット期間（垂直方向の走査切換期間）とを切り分ける信号であるとすると、パッシブマトリックス型の有機ＥＬパネルの駆動では、通常、タイミングコントロール信号とリセットコントロール信号とは同じ信号になり、リセットコントロール信号が使用される。そして、リセット信号ＲＳは、通常、帰線期間に相当するリセット期間ＲＴの全部ではなく、その中の一部の期間が割り当てられられる。
したがって、有機ＥＬパネル２と有機ＥＬパネル３との切換えとその動作開始は、リセットコントロール信号によることなく、タイミングコントロール信号に応じて行われてもよい。また、リセット信号ＲＳに応じて行われてもよい。後者の場合には、帰線期間に相当するリセット期間の開始からそれぞれに動作を開始させることができる。
ところで、実施例においては、表示を停止させる表示パネルに対応する垂直走査回路の動作の停止を走査動作を停止させることが行っているが、これは、垂直走査回路の動作そのものを停止させてもよいことはもちろんである。
また、実施例では、表示装置１を内蔵した携帯電話等において、表示切換スイッチについて、装置の蓋が閉められたときに装置の蓋により押されて作動し、ＯＮになるスイッチであると説明している。しかし、これは逆に装置の蓋が閉められたときにＯＦＦになるスイッチであってもよい。この場合には、実施例で示す選択信号の“Ｈ”、“Ｌ”の発生は逆になる。
なお、選択信号ＳＥＬの“Ｈ”と“Ｌ”は一例であり、インバータ等により容易に論理を逆にすることができるので、これらが逆の論理信号であっても何ら問題なく実施例と同様な選択動作をさせることが可能である。また、表示切換スイッチは、押しボタンのようなスイッチに限定されるものではなく、例えば、装置の蓋を開けたときに光りを受けて検出信号を発生する光学的なセンサを用いたスイッチであってもよい。表示切換を検出する他のセンサであってもよいことはもちろんである。したがって、ここでのスイッチあるいはスイッチ回路にはセンサが含まれる。
さらに、実施例では、メインディスプレイ（有機ＥＬパネル２）とサブディスプレイ（有機ＥＬパネル３）とは、ドライバＩＣ４の各出力ピンに各カラムピンが接続されている例を挙げているが、メインディスプレイについてはさらに他のドライバＩＣ４が設けられていてもよい。
また、実施例において、選択信号に応じて、駆動される（あるいは表示される）第１および第２の有機ＥＬパネルのいずれか一方の垂直走査回路の動作の開始は、駆動が停止される（あるいは表示が停止される）いずれか他方が垂直走査回路の動作を停止した以降のタイミングであることが好ましい。この場合の動作停止は、走査動作の一時的な停止あるいは待機状態に限定されるものではなく、この回路の動作そのものの停止であってもよい。
【産業上の利用可能性】
【００２８】
以上説明してきたが、実施例では、表示期間に駆動された水平１ラインの出力ピンに対してプリセット電圧Ｖzになるように、定電圧リセットを行っているが、このリセット電圧は、グランド電位あるいはそのほかの基準電位であってもよいことはもちろんである。  さらに、実施例では、ＭＯＳＦＥＴトランジスタを主体として構成しているが、バイポーラトランジスタを主体としても構成してもよいことはもちろんである。さらに、実施例のＮチャンネル型トランジスタ（あるいはｎｐｎ型）は、Ｐチャンネル型（あるいはｐｎｐ型）トランジスタに、Ｐチャンネル型トランジスタは、Ｎチャンネル（あるいはｎｐｎ型）トランジスタに置き換えることができる。この場合には、電源電圧は、通常は負となり、上流に設けたトランジスタは下流に設けることになる。
【図面の簡単な説明】
【００２９】
【図１】図１は、２枚のパッシブマトリックス型の有機ＥＬパネルに対して電流駆動回路を共用した場合のこの発明の有機ＥＬ表示装置の一実施例のブロック図である。
【図２】図２は、表示切換時のタイミングチャートである。
【図３】図２は、そのロー側走査回路における表示切換時の表示が停止される有機ＥＬパネルの説明図である。
【図４】図４は、点灯側のディスプレイにおいて黒レベルの表示をするカラムラインの表示輝度がグレイレベルにされる誤発光を防止する実施例の説明図である。
【図５】図５は、図４の実施例における非点灯側カラムラインの負荷インピーダンスの説明図である。
【符号の説明】
【００３０】
１…有機ＥＬの表示装置、
２，３…パッシブマトリックス型の有機ＥＬパネル、
４…ドライバＩＣ、
６…ＣＭＯＳ出力回路、５…出力ピン、
５，５ａ，５ｉ，５ｎ…出力ピン、
６，６ａ…ＣＭＯＳ出力回路、
６ｂ…バッファアンプ、６ｃ…定電圧源、
７…ＯＥＬ素子（ＯＥＬ素子）、
４０，４０ａ〜４０ｎ…出力段電流源、
１１…表示切換スイッチ、１２…コントロール回路、
１２ａ…ワンショット回路、１２ｂ…オア回路、
１２ｃ…タイミング信号発生回路、１２ｄ…選択信号発生回路、
４１，４２…ロー側の走査回路、
４３…インバータ、４４…リセット回路、
４６…Ｄ／Ａ変換回路（Ｄ／Ａ）、
４４a，４４i，４４n，４４x…アナログスイッチ、
４５…カレントミラー回路、
Ｄa，Ｄi，Ｄn…ダイオード、
Ｙ0，Ｙ1，Ｙ2，Ｙi…陰極接続ライン。
【図１】
0005124138.tif 000002
【図２】
0005124138.tif 000003
【図３】
0005124138.tif 000004
【図４】
0005124138.tif 000005
【図５】
0005124138.tif 000006